(57)【要約】【課題】  送信されるデータフレームの管理は、相対的に長い処理時間を有するソフトウェアにより実行される。【解決手段】  本発明は、無線ネットワークのステーションにおけるデータフレームの伝送を管理するための方法と、前記方法を使用するステーションとに関するものである。それは802.11形式の無線ネットワークのステーションに適用する。本発明によると、データフレーム毎にフレームの記述子が生成され、競合のない時間スロット又はATIMウィンドウの間に送信されるデータフレームの記述子が、ステーションの少なくとも１つのメモリM1に保存され、競合スロットの間に送信されるデータフレームの記述子が、メモリM2に保存される。次に、競合のないスロット又はATIMウィンドウの間に、記述子がメモリM1に保存されているフレームが送信され、それに続いて競合スロットの間に、記述子がメモリM2に保存されているフレームが送信される。【選択図】  図２
2005027298.tif 000002
【特許請求の範囲】
【請求項１】
競合時間スロットに続く、競合のない時間スロット又はATIMデータフレームの伝送専用の時間スロットを含む期間中に、無線ネットワークのステーションにおけるデータフレームの伝送を管理するための方法であって、
伝送される前記データフレームが、ペイロードデータを有し、又は有さず、
−データフレーム毎に前記フレームの記述子を作るステップと、
−前記競合のない時間スロット又は前記ATIMデータフレームの伝送専用の時間スロットの間に伝送される前記データフレームの記述子を、前記ステーションの少なくとも１つの第１のメモリ（M1）に保存するステップと、前記競合時間スロットの間に伝送される前記データフレームの記述子を、前記少なくとも１つの第１のメモリと別個の前記ステーションの第２のメモリ（M2）に保存するステップと、
−前記競合のない時間スロット又は前記ATIMデータフレームの伝送専用の時間スロットの間に、記述子が前記少なくとも１つの第１のメモリに保存された少なくとも１つの前記データフレームを送信するステップと、前記競合スロットの間に、記述子が前記第２のメモリに保存された少なくとも１つの前記データフレームを送信するステップと
を有することを特徴とする方法。
【請求項２】
請求項１に記載の方法であって、
前記競合のない時間スロット又は前記ATIMデータフレームの伝送専用の時間スロットの間に伝送される前記データフレームの識別子が、２つの別個のメモリに保存され、
ペイロードデータを有する前記データフレームの記述子が前記第１のメモリ（M1）に保存され、ペイロードデータを有さない前記データフレームの記述子が第３のメモリ（M3）に保存されることを特徴とする方法。
【請求項３】
請求項２に記載の方法であって、
前記競合のない時間スロット又は前記ATIMデータフレームの伝送専用の時間スロットの間に、記述子が前記第１のメモリ（M1）に保存された前記データフレームが最初に送信され、続いて記述子が前記第３のメモリ（M3）に保存された前記データフレームが送信されることを特徴とする方法。
【請求項４】
請求項１ないし３のうちのいずれか１項に記載の方法であって、
記述子が前記第１と第２のメモリ及び適当な場合には前記第３のメモリに保存された前記データフレームが、順に送信されることを特徴とする方法。
【請求項５】
請求項３又は４に記載の方法であって、
記述子が前記第１のメモリ（M1）に保存された前記データフレームが、前記競合のないスロットの間に送信されない場合に、続きの前記競合スロットの間に送信されることを特徴とする方法。
【請求項６】
請求項５に記載の方法であって、
前記競合のないスロットの間に送信されない記述子が前記第１のメモリ（M1）に保存された前記データフレームが、記述子が前記第２のメモリ（M2）に保存された全ての前記データフレームが前記競合スロットの間に送信された後に、続きの前記競合スロットの間に送信されることを特徴とする方法。
【請求項７】
請求項５に記載の方法であって、
前記競合のないスロットの間に送信されない記述子が前記第１のメモリ（M1）に保存された前記データフレームが、記述子が前記第２のメモリ（M2）に保存された全ての前記データフレームが前記競合スロットの間に送信される前に、続きの前記競合スロットの間に送信されることを特徴とする方法。
【請求項８】
請求項１ないし７のうちのいずれか１項に記載の方法であって、
前記データフレームのペイロードデータが、前記ステーションの前記第１と第２のメモリ及び適当な場合には第３のメモリと別個の少なくとも１つのメモリに保存されることを特徴とする方法。
【請求項９】
請求項８に記載の方法であって、
前記競合のない時間スロットの間に伝送される前記データフレームのペイロードデータが、前記ステーションの第４のメモリ（M4）に保存され、
前記競合時間スロットの間に伝送される前記データフレームのペイロードデータが、第５のメモリ（M5）に保存され、
前記第４と第５のメモリが前記第１と第２と第３のメモリと別個であることを特徴とする方法。
【請求項１０】
請求項１ないし９のうちのいずれか１項に記載の方法であって、
前記ステーションの前記メモリが、先入れ先出し（FIFO）形式であることを特徴とする方法。
【請求項１１】
請求項１ないし１０のうちのいずれか１項に記載の方法であって、
前記無線ネットワークが802.11形式であることを特徴とする方法。
【請求項１２】
競合時間スロットに続く、競合のない時間スロット又はATIMデータフレームの伝送専用の時間スロットを含む期間中に、データフレームを伝送することを目的とした無線ネットワークのステーションであって、
送信される前記データフレームがペイロードデータを有し、又は有さず、
−データフレーム毎に前記フレームの記述子を作るための手段（10）と、
−前記競合のない時間スロット又は前記ATIMデータフレームの伝送専用の時間スロットの間に伝送される前記データフレームの記述子を保存するための少なくとも１つの第１のメモリ（M1）と、
−前記競合時間スロットの間に伝送される前記データフレームの記述子を保存するための、前記少なくとも１つの第１のメモリと別個の第２のメモリと、
−前記競合のない時間スロット又は前記ATIMデータフレームの伝送専用の時間スロットの間に、記述子が前記少なくとも１つの第１のメモリに保存された少なくとも１つの前記データフレームを送信し、前記競合スロットの間に、記述子が前記第２のメモリに保存された少なくとも１つの前記データフレームを送信するための手段（12）と
を有することを特徴とするステーション。
【請求項１３】
請求項１２に記載のステーションであって、
前記第１のメモリ（M1）に加えて、前記競合のない時間スロット又は前記ATIMデータフレームの伝送専用の時間スロットの間に伝送される前記データフレームの記述子を保存するための第３のメモリ（M3）を有し、
ペイロードデータを有する前記データフレームの記述子が前記第１のメモリ（M1）に保存され、ペイロードデータを有さない前記データフレームの記述子が前記第３のメモリ（M3）に保存されることを特徴とするステーション。
【請求項１４】
請求項１２又は１３に記載のステーションであって、
前記競合のない時間スロットの間に送信される前記データフレームのペイロードデータを保存するための第４のメモリ（M4）と、
前記競合時間スロットの間に伝送される前記データフレームのペイロードデータを保存するための第５のメモリ（M5）と
を有することを特徴とするステーション。
【発明の詳細な説明】
【技術分野】
【０００１】
本発明は、無線ネットワークのステーションにおけるデータの伝送を管理するための方法に関するものである。特に、IEEE802.11形式のネットワークに適用する。本発明はまた、前記方法を実施するステーションに関するものである。
【背景技術】
【０００２】
IEEE802.11規格は、２つの異なるネットワークアーキテクチャを提案する。第１のアーキテクチャは、IEEE802.11のステーションを他の形式（例えばイーサーネット形式）のネットワークに主に接続する役割をするアクセスポイントを備えたものであり、第２のアーキテクチャは、IEEE802.11のステーションの独立したネットワークを作る役割をするアクセスポイントのないものである。
【０００３】
第１のアーキテクチャにおいて、アクセスポイントと呼ばれる特定のステーションは、無線範囲内の無線ステーションを管理する。前記アクセスポイントは、通常は有線ネットワークに接続される。ネットワークのステーションは、前記アクセスポイントを介して相互に通信する。それはまた、前記アクセスポイントを介して有線ネットワークと通信する。IEEE802.11規格は、アクセスポイントの無線範囲内の無線ステーションのセットのことをBSS（基本サービスセット）と呼ぶ。
【０００４】
第２のアーキテクチャにおいて、ネットワークは完全に分散した方法で動作する。各ステーションは無線範囲内でステーションと通信することができる。アクセスポイントは存在しない。IEEE802.11規格は、相互の無線範囲内の無線ステーションのセットのことをIBSS（独立基本サービスセット）と呼ぶ。
【０００５】
前記２つのアーキテクチャについて、現在、２つの可能性のあるモードのチャネルへのアクセスが存在する。すなわち、DCF（Distribution  Coordination  Function）モードと呼ばれる競合を備えたアクセスモードと、PCF（Point  Coordination  Function）モードと呼ばれる制御されたアクセスモードである。DCFモードは本質的には分散され、PCFモードは本質的には集中されてマスターステーションに基づく。
【０００６】
DCFモードにおいて、ステーションは、データパケットを送信する前に無線チャネルの活動を観察する。活動がないと検出すると、データパケットを送信する。そうでない場合には送信を保留する。このアクセスモードは、BSS又はIBSSの場合に使用され得る。
【０００７】
PCFモードは、一種の予約形式である。チャネルへのアクセスは、協調機能を有する特定のステーションにより制御される。このステーションは必然的にアクセスポイントである。集中した協調機能がアクセスポイントで起動すると、前記アクセスポイントの受信範囲の全てのステーションが競合の規則に従わなければならない。前記機能は、BSSステーションの連続的なポーリングのシステムを実装する。分散した協調機能がアクセスポイントで起動すると、前記アクセスポイントの受信範囲の全てのステーションが、DCFモードの規則と同じアクセスの規則に従う。PCFモードの間に、協調機能はスーパーフレームの時間構成を使用する。前記スーパーフレームの表示が図１に示されている。後者は２つの連続的な時間スロットを有する。１つの時間スロットは競合のないスロットと呼ばれ、その間にチャネルへのアクセスは競合しない。それに続いて競合スロットと呼ばれ、その間にアクセスがDCFモードのものと同一である。アクセスポイントの協調機能は、競合のないスロットの間に集中され、競合スロットの間に分散される。スーパーフレームの開始時にビーコンフレームが送信され、競合のないスロットの開始を示す。前記ビーコンはDTIM（配信トラヒック情報マップ（Delivery  Traffic  Information  Map））形式である。前記スーパーフレームは、BSSがPCFモードで動作する場合に使用される。IBSSについては、スーパーフレームの構成が異なる。それは、以下の説明でATIMウィンドウと呼ばれる時間スロットを有し、その間にIBSSのステーションは競合時間スロットに続いてペイロードデータのフレームを送信する許可を要求し、その間に受信ステーションが送信を許可されると前記ペイロードデータのフレームが送信される。ATIMウィンドウの意味は、送信を許可するフレームがATIM（アドホック・トラヒック情報マップ（Ad  Hoc  Traffic  Information  Map））フレームと呼ばれる事実に由来する。
【０００８】
従って、PCFモードにおいて、競合のないスロットの間に、競合ポイント機能を有するアクセスポイントは、異なる形式のデータ転送を選択することがある。それはデータフレームを送受信することを選択することもあり、データフレームを送信することのみを選択することもあり、又はデータフレームを受信することのみを選択することもある。最初と最後の場合に、アクセスポイントは、例えばATIM形式のデータフレーム又はCF_Poll形式のデータフレーム等を送信する明白な許可をステーションに送信する。
【発明の開示】
【発明が解決しようとする課題】
【０００９】
現在、送信される全てのデータフレーム又は前記フレームの記述子は、ステーションの単一のメモリに保存され、前記フレームの管理は、スーパーフレームの現在のスロット（競合のないスロット又は競合のあるスロット）の間に送信されるデータフレームを探すために相対的に長い処理時間を有するソフトウェアにより実行される。従って、この形式のデータ処理は、高ビットレートの伝送に適していない。
【課題を解決するための手段】
【００１０】
本発明によると、前記処理時間を削減するために、部分的なハードウェアの解決策が提案される。
【００１１】
本発明によると、データフレームが競合のない時間スロット若しくはATIMウィンドウの間に、又は競合時間スロットの間に送信されるものであるか否かに応じて、データフレームを別個のメモリに保存することにより、保存されるデータフレームの管理を改善することが提案される。
【００１２】
本発明は、競合のない時間スロット又はATIMデータフレームの伝送専用の時間スロットと、競合時間スロットとを有する期間中に、無線ネットワークのステーションにおけるデータフレームの伝送を管理するための方法に関するものであり、伝送される前記データフレームはペイロードデータを有し、又は有さない。前記方法は以下のステップを有する。
−データフレーム毎に前記フレームの記述子を作るステップ
−前記競合のない時間スロット又は前記ATIMデータフレームの伝送専用の時間スロットの間に伝送される前記データフレームの記述子を、前記ステーションの少なくとも１つの第１のメモリに保存するステップと、前記競合時間スロットの間に伝送される前記データフレームの記述子を、前記少なくとも１つの第１のメモリと別個の前記ステーションの第２のメモリに保存するステップ
−前記競合のない時間スロット又は前記ATIMデータフレームの伝送専用の時間スロットの間に、記述子が前記少なくとも１つの第１のメモリに保存された少なくとも１つの前記データフレームを送信するステップと、前記競合スロットの間に、記述子が前記第２のメモリに保存された少なくとも１つの前記データフレームを送信するステップ。
【００１３】
競合のないスロット又はATIMデータフレームの伝送専用の時間スロットの間に送信されるデータフレームの記述子と、競合スロットの間に送信されるデータフレームの記述子とが別個のメモリにあるため、ステーションに保存されたデータフレームの管理が改善される。
【００１４】
好ましい実施例によると、前記競合のない時間スロット又は前記ATIMデータフレームの伝送専用の時間スロットの間に伝送される前記データフレームの識別子は、２つの別個のメモリに保存される。ペイロードデータを有する前記データフレームの記述子は前記第１のメモリに保存され、ペイロードデータを有さない前記データフレームの記述子は第３のメモリに保存される。
【００１５】
特定の実施例によると、前記競合のない時間スロット又は前記ATIMデータフレームの伝送専用の時間スロットの間に、記述子が前記第１のメモリに保存された前記データフレームが最初に送信され、続いて記述子が前記第３のメモリに保存された前記データフレームが送信される。
【００１６】
特定の実施例によると、記述子が前記第１と第２のメモリ及び適当な場合には前記第３のメモリに保存された前記データフレームが、順に送信される。
【００１７】
特定の実施例によると、記述子が前記第１のメモリに保存された前記データフレームが、前記競合のないスロットの間に送信されない場合に、それが続きの前記競合スロットの間に送信される。前記競合のないスロットの間に送信されない前記データフレームは、記述子が前記第２のメモリに保存された全ての前記データフレームが前記競合スロットの間に送信された後、又はそれが送信される前のいずれかに、前記競合スロットの間に送信される。
【００１８】
送信される前記データフレームのペイロードデータは、ステーションの前記第１と第２のメモリ及び適当な場合には第３のメモリと別個の少なくとも１つのメモリに保存される。好ましい実施例によると、前記競合のない時間スロットの間に伝送される前記データフレームのペイロードデータは、前記ステーションの第４のメモリに保存され、前記競合時間スロットの間に伝送される前記データフレームのペイロードデータは、第５のメモリに保存される。
【００１９】
前記ステーションの全てのメモリは、送信されるデータフレームの処理を更に削減するために、有利には先入れ先出し（FIFO）形式である。
【００２０】
本発明はまた、競合時間スロットに続く、競合のない時間スロット又はATIMデータフレームの伝送専用の時間スロットを含む期間中に、データフレームを伝送することを目的とした無線ネットワークのステーションに関するものであり、送信される前記データフレームはペイロードデータを有し、又は有さない。それは以下のものを有する。
−データフレーム毎に前記フレームの記述子を作るための手段
−前記競合のない時間スロット又は前記ATIMデータフレームの伝送専用の時間スロットの間に伝送される前記データフレームの記述子を保存するための少なくとも１つの第１のメモリ
−前記競合時間スロットの間に伝送される前記データフレームの記述子を保存するための、前記少なくとも１つの第１のメモリと別個の第２のメモリ
−前記競合のない時間スロット又は前記ATIMデータフレームの伝送専用の時間スロットの間に、記述子が前記少なくとも１つの第１のメモリに保存された少なくとも１つの前記データフレームを送信し、前記競合スロットの間に、記述子が前記第２のメモリに保存された少なくとも１つの前記データフレームを送信するための手段。
【００２１】
特定の実施例によると、前記ステーションは、前記第１のメモリに加えて、前記競合のない時間スロット又は前記ATIMデータフレームの伝送専用の時間スロットの間に伝送される前記データフレームの記述子を保存するための第３のメモリを有する。ペイロードデータを有する前記データフレームの記述子は前記第１のメモリに保存され、ペイロードデータを有さない前記データフレームの記述子は前記第３のメモリに保存される。
【００２２】
前記ステーションはまた、前記競合のない時間スロットの間に送信される前記データフレームのペイロードデータを保存するための第４のメモリと、前記競合時間スロットの間に伝送される前記データフレームのペイロードデータを保存するための第５のメモリとを有する。
【発明の効果】
【００２３】
本発明によると、スーパーフレームの現在のスロットの間に送信されるデータフレームを探す処理時間を削減する。
【発明を実施するための最良の形態】
【００２４】
本発明によると、送信されるデータフレームの記述子は、フレームが送信される期間に応じて異なるメモリに保存される。競合のない時間スロット又はATIMウィンドウの間に伝送されるデータフレームの記述子は、競合スロットの間に伝送されるデータフレームと同じメモリに保存されない。
【００２５】
前記メモリに保存される記述子は、それに関するデータフレームの内容についての特定の量の情報を有し、例えばフレームがペイロードデータを含むか否かについてと、それを伝送する方法と、例えばフレームのペイロードデータを変調するために使用される変調の形式とを確かめる。
【００２６】
従って、本発明によると、無線ネットワークの各ステーションに、競合のないスロット又はATIMウィンドウの間に伝送されるデータフレームの記述子を保存する少なくとも１つのメモリM1と、競合スロットの間に伝送されるデータフレームの記述子を保存する１つのメモリM2とが提供される。
【００２７】
好ましい実施例によると、競合のないスロット又はATIMウィンドウの間に伝送されるデータフレームの記述子は以下の２つのメモリに保存される。メモリM1は、例えばペイロードデータを有するデータフレームの記述子を保存するために使用され、他のメモリM3は、ペイロードデータを有さないデータフレームの記述子を保存するために使用される。従って、各ステーションはフレームの記述子を保存するための３つのメモリを備えている。それはまた、前記フレームのペイロードデータを保存するための少なくとも１つのメモリを有する。有利には、競合のないスロットの間に送信されるデータフレームのペイロードデータは、メモリM4に保存され、競合スロットの間に送信されるデータフレームのペイロードデータは、メモリM5に保存される。記述子とペイロードデータとを保存するいくつかのメモリの使用は、伝送されるデータフレームの管理を非常に簡略化し、ステーションにおけるその処理時間を有意に削減する。
【００２８】
ステーションは必ずしも３つのメモリM1、M2及びM3を使用する必要がないことに留意すべきである。ステーションがアクセスポイントである場合、それは３つのメモリを使用し、そうでない場合にはそれは２つのメモリのみを使用する。
【００２９】
BSSのアクセスポイントにおいて、メモリM1は“Data”又は“Data+CF-Poll”形式のデータフレームの記述子を含み、メモリM2は“Data”形式のフレームの記述子を含み、メモリM3は“CF-Poll”形式のフレームの記述子を含む。“CF-Poll”命令は、アクセスポイントにより配信される送信勧誘である。送信勧誘するものがst1ステーションであることを示すために、“CF-poll(st1)”が残りの記述子で使用される。
【００３０】
BSSのステーションにおいて、メモリM1とM2は“Data”形式のデータフレームの記述子を含み、メモリM3は空である。
【００３１】
最後に、IBSSのステーションにおいて、メモリM1は空であり、メモリM2は“Data”形式のフレームの記述子を含み、メモリM3はATIM形式のデータフレームの記述子を含む。必然的に、メモリM3の代わりにM1を満たすために用意が行われ得る。
【００３２】
フレームの記述子は、それがメモリM1からM3で生成された時に保存され、それに関するペイロードデータはメモリM4とM5に保存される。
【００３３】
データフレームは以下の順序で送信される。
−スーパーフレームの競合のないスロット又はATIMウィンドウの間に、記述子がメモリM1に保存されているデータフレームが最初に送信される。メモリM1が空になると、記述子がメモリM3に保存されているデータフレームが送信される。
−競合スロットの間に、記述子がメモリM2に保存されているデータフレームが送信される。
【００３４】
ステーションのメモリM1からM5は、有利には先入れ先出し（FIFO）形式のメモリである。従って、データフレームは、それが保存された順に送信される。
【００３５】
アクセスポイントとしての役割をするステーションと、PDFモードで動作する無線ネットワークの他のいくつかのステーション（st1、st2、st3、st4及びst5）との間で、データフレームを伝送する例を使用して、本発明の方法が説明される。この例は図３に表されている。アクセスポイントにより送信されるペイロードデータはDiと示され、ネットワークの他のステーションにより送信されるものはSiと示されており、iは整数値である。競合のないスロットの開始時のアクセスポイントのメモリM1からM5の内容が図４に示されている。メモリM1は以下の２つのフレームの記述子を含む。１つはフレームD1+CF-poll(st1)の記述子であり、１つはフレームD2+CF-poll(st2)の記述子である。ペイロードデータD1とD2はメモリM4に保存される。メモリM2は、以下の２つの他のフレームの記述子を含む。１つはフレームD3の記述子であり、１つはフレームD4の記述子である。ペイロードデータD3とD4はメモリM5に保存される。最後に、メモリM3は、送信勧誘CF-poll(st3)とCF-poll(st4)とCF-poll(st5)の記述子を含む。アクセスポイントにより送信される送信勧誘はペイロードデータを有さないため、前記記述子はゼロのペイロードデータを示す。
【００３６】
送信される全ての前記データフレームは図３に示されている。スーパーフレームの開始時にアクセスポイントは、競合のないスロットの開始を示すビーコンDTIMを送信する。次にそれがメモリM1を読み取る。次にそれがデータD1をステーションst1に送信し、送信を勧誘する。次にステーションst1がデータS1と肯定応答CF-ackとを返信する。持続時間T1の伝送のないフレーム間隔がデータフレームの各伝送の間に認められることに留意すべきである。フレームCF-ackの間に、ステーションの制御レイヤにより制御フレームが加えられる。次にアクセスポイントはメモリM1の読み取りを続け、ステーションst2にデータD2を送信し、送信を勧誘する。それはまた、肯定応答CF-ackをステーションst1に送信する。ステーションst2はデータS2と肯定応答CF-ackとを返信する。
【００３７】
次にメモリM1が空になると、アクセスポイントはメモリM3を読み取る。それはステーションst2に肯定応答CF-ackを送信し、ステーションst3の送信を勧誘する。持続時間T2の応答遅延の後にステーションst3から応答がない場合には、アクセスポイントはst4の送信を勧誘する。それに応じて、ステーションst4はペイロードデータS3を返信する。アクセスポイントは肯定応答CF-ackをステーションst4に返信するが、競合のないスロットが終了するため、ステーションst5の送信を勧誘しない。更に、それは競合のないスロットの終了を示す制御フレームCF-endを送信する。
【００３８】
続きの競合スロットの間に、T1とT2より大きい持続時間のフレーム間隔の後にアクセスポイントはメモリM2を読み取り、それ故にメモリM5に保存されたペイロードデータD3を、が制御フレームのackを返信することにより応答するネットワークのステーションに送信する。前記スロットの間に、アクセスポイントはまた、ペイロードデータD4をネットワークのステーションに送信する。スロットの終了時に、ステーションはデータS4を応答するアクセスポイントに送信する。メモリM1が空でない場合、有利には競合スロットの間にそれが含んでいるデータフレームを送信する用意が行われる。
【００３９】
BSS又はIBSSの場合にメモリM1とM2とM3を読み取る順序をまとめたフローチャートが図５に示されている。競合のないスロットの開始時にメモリM1が最初に読み取られる。それが空であり、ステーションがアクセスポイントである場合に、M3が次に読み取られる。次に競合スロットの間にメモリM2が読み取られる。前述の通り、メモリM1が完全に先行する競合のないスロットの間でなくても、競合スロットの間にメモリM1を読み取る用意が行われることがある。
【００４０】
本発明の方法を実施可能なステーションが図６に概略的に示されている。それは、マイクロプロセッサ10と、送信されるデータフレームの記述子とそれに関するペイロードデータとを保存するメモリブロック11でグループ化されたメモリ（M1、M2、M3、M4及びM5）と、ネットワークの他のステーション又はアクセスポイントと通信するネットワークインタフェース12とを有する。ステーションの要素10と11と12は、バス13を介して相互に通信する。前述のメモリ管理は、マイクロプロセッサ10で実行される。
【図面の簡単な説明】
【００４１】
【図１】BSSの場合のPCFモードのスーパーフレームの表示である。
【図２】IBSSの場合のスーパーフレームの表示である。
【図３】BSSの場合のPCFモードの動作の例を示したものである。
【図４】図３の例からの競合のないスロットの開始時のアクセスポイントのメモリの内容を示したものである。
【図５】ステーションのメモリの読み取り順序を示したフローチャートである。
【図６】本発明の方法を実装したステーションを表したものである。
【符号の説明】
【００４２】
１０  マイクロプロセッサ
１１  メモリ
１２  802.11インタフェース
１３  バス
【図１】
2005027298.tif 000003
【図２】
2005027298.tif 000004
【図３】
2005027298.tif 000005
【図４】
2005027298.tif 000006
【図５】
2005027298.tif 000007
【図６】
2005027298.tif 000008